(57)【特許請求の範囲】
【請求項１】
容器の口頚部に嵌合保持され、注出孔を通して容器内の内容物を注出する中栓と、前記中栓を容器の口頚部とともに取り囲む収納空間を有し、容器の口頚部へのねじ止めにより前記収納空間内の凸部を前記中栓の注出孔に当接させて該注出孔を閉塞させるカバーとを備えた中栓付きのキャップであって、
前記中栓に、該中栓の外縁に向けて突出するフランジ部を設け、
前記カバーに、対向位置にそれぞれ設けられ、外方から内方へ向かう押し込みにより前記フランジ部に連係する弾性アームを設け、
前記弾性アームは、前記カバーの周壁上部において一体連結する固定端と、前記カバーの周壁下部に位置する自由端とを有し、周壁の外表面と同一の外表面を有する片持ち支持タイプの舌片からなるものであって、カバーと一体化されており、
前記舌片の内壁面に、前記フランジ部の下縁に連係可能な爪部を有することを特徴とする中栓付きのキャップ。
【発明の詳細な説明】
【技術分野】
【０００１】
本発明は、とくに詰め替え用の内容物を充填するレフィルタイプの容器の口頚部に装着するのに好適な中栓付きのキャップに関するものであり、該キャップの簡便な付け替えを実現しようとするものである。
【背景技術】
【０００２】
シャンプやリンス、台所洗剤や除菌剤等を内容物として充填する容器は、容器内の内容物を使いきったのちは、別途に販売されている内容物を詰め替えて既存の容器をそのまま再利用するのが普通であり、詰め替え用の内容物を充填した容器としては、パウチ等、袋状のものが適用されている。
【０００３】
ところで、詰め替え用の内容物を充填した容器は、その本体部分のみならず内容物を注出する注出口についても腰がないことから内容物の詰め替え中にこぼれ出てしまう不具合がありその部位の強度を高めるために局所的に厚肉化を図る工夫がなされており、また、内容物が残ってしまった場合には、そのまま保存しておくことができるようにねじ込み式のキャップを装着しているところ、通常この種の容器は、内容物の詰め替えが終わったならば廃棄されるものであって、注出口の厚肉化やねじ込み式のキャップの適用は資源の有効活用を図る点からも有用であるとはいえないのが現状であった。
【０００４】
かかる従来の不具合の解消を試みた容器としては、容器の口元部にねじ込みタイプの中栓を設け、該中栓を適宜取り外して再利用することを可能とした詰め替え容器が知られている（例えば、特許文献１参照）。
【先行技術文献】
【特許文献】
【０００５】
【特許文献１】実用新案登録第２５４８５０６号公報
【発明の概要】
【発明が解決しようとする課題】
【０００６】
容器の口元部に中栓をねじ込む従来の詰め替え容器は、該中栓の再利用が可能であることから資源の有効活用を図る観点からは確かに有用ではあるが、その取り外しが面倒であり該中栓に付着した内容物が手指に着いてのしまう等の不具合が避けられないことから、未だ改善の余地が残されていた。本発明の課題は、取り付け、取り外しを簡便に行い得る中栓付きのキャップを提案するところにある。
【課題を解決するための手段】
【０００７】
本発明は、容器の口頚部に嵌合保持され、注出孔を通して容器内の内容物を注出する中栓と、前記中栓を容器の口頚部とともに取り囲む収納空間を有し、容器の口頚部へのねじ止めにより前記収納空間内の凸部を前記中栓の注出孔に当接させて該注出孔を閉塞させるカバーとを備えた中栓付きのキャップであって、
前記中栓に、該中栓の外縁に向けて突出するフランジ部を設け、
前記カバーに、対向位置にそれぞれ設けられ、外方から内方へ向かう押し込みにより前記フランジ部に連係する弾性アームを設け、
前記弾性アームは、前記カバーの周壁上部において一体連結する固定端と、前記カバーの周壁下部に位置する自由端とを有し、周壁の外表面と同一の外表面を有する片持ち支持タイプの舌片からなるものであって、カバーと一体化されており、
前記舌片の内壁面に、前記フランジ部の下縁に連係可能な爪部を有することを特徴とする中栓付きのキャップである。
【発明の効果】
【０００９】
カバーの対向位置にそれぞれ設けた弾性アームを、中栓のフランジ部に連係させることにより該カバーの取り外しだけで中栓の取り外しも可能（面倒な動作が不要）となり、手指を汚すこともない。また、中栓を容器の口頚部から取り外して廃棄する分別回収をも実現し得る。
【００１０】
前記弾性アームを、前記カバーの周壁上部において一体連結する固定端と、前記カバーの周壁下部に位置する自由端とを有し、周壁の外表面と同一の外表面を有する片持ち支持タイプの舌片から構成し、前記舌片の内壁面に、前記フランジ部の下縁に連係可能な爪部を設けるようにしたため、構造が簡単でカバーとの一体化が可能となる。
【図面の簡単な説明】
【００１１】
【図１】本発明にしたがう中栓付きのキャップの実施の形態を断面で示した図である。
【図２】図１に示したキャップの平面（上面）を示した図である。
【図３】図１に示したキャップの外観斜視図である。
【図４】図１に示したキャップの取り外し状況を示した図である。
【発明を実施するための最良の形態】
【００１２】
以下、図面を参照して本発明をより具体的に説明する。
図１〜３は、本発明に従う中栓付きのキャップの実施の形態を示した図であり、図１はキャップの断面を示した図であり、図２は、図１に示したキャップの平面（上面）を示した図、図３は図１に示したキャップの外観斜視図である。
【００１３】
図における符号１は、内容物を収納した容器である。この容器１は、その頂部に口頚部１ａを有している。２は容器１の口頚部１ａに嵌合された中栓である。この中栓２は、口頚部１ａを覆いその中央部に注出孔ｈを有する天板２ａと、この天板２ａの下面に垂下され口頚部１ａの内壁、外壁に密着する内外二重の垂下筒２ｂ、２ｃと、天板２ａの縁部に一体連結して該天板２ａの径方向に向けて突出するフランジ部２ｄから構成されている。
【００１４】
上記垂下筒２ｂ、２ｃは、その相互間に下向きに開放された環状溝部を形成するものであり、該環状溝部に容器１の口頚部１ａをアンダーカットの如き手段により嵌合させることによって中栓２が固定されている。
【００１５】
３は、口頚部１ａの外周壁にてねじ止めされるカバーである。このカバー３は、口頚部１ａの全周を取り囲むとともに口頚部１ａのねじ部１ｂに係合可能なねじ部ｎを有する周壁３ａと、この周壁３ａの上端にて一体連結してその内側に中栓２及び口頚部１ａの収納空間を形成する天壁３ｂから構成されている。周壁３ａは、天壁３ｂを含む小径周壁３ａ1と、この小径周壁３ａ1の下端部に一体的につながりその相互間に段差を形成する大径周壁３ａ2にて形成されていて、カバー３のみを取り外すときには、大径周壁３ａ2のみを把持して該カバー３の回転を誘導する。
【００１６】
また、４は、カバー３の収納空間に配置された例えば軟質部材にて形成されたシール部材である。このシール部材４は、カバー３の天壁３ａの下面に密着してその縁部をアンダーカットの如き係合手段にてカバー３の周壁３ａに着脱自在に連係させたディスク状の基部４ａと、この基部４ａの下面に一体連結して中栓２の天板２ａに当接する位置決め突起４ｂと、該基部４ａの下面中央部に設けられ中栓２の注出孔ｈに適合して該注出孔ｈを閉塞する凸部４ｃとからなっている。
【００１７】
５は、カバー３の周壁３ａの対向位置に設けられた弾性アームである。この弾性アーム５は、カバー３の周壁上部において一体連結する部位を固定端とし、該カバー３の周壁下部に位置する自由端として、周壁３ａの外表面と同一の外表面（面一（つらいち））を有する片持ち支持タイプの舌片５ａから形成されていて、その舌片５ａの内壁面には、カバー３の、口頚部１ａへの装着姿勢でもってフランジ部２ｄの下端面近傍域に位置する爪部５ｂが設けられ、その自由端側の外壁面には、指掛け用の突起５ｃが設けられている。
【００１８】
本発明にしたが中栓付きのキャップは、容器１の口頚部1ａにねじ止めした状態では図１に示すようにシール部材４の凸部４ｃが中栓２の注出孔ｈを閉塞しており、容器を反転しても内容物がこぼれ出ることはない。
【００１９】
容器１内の内容物を使いきり中栓２の付け替えを行うに当たっては、弾性アーム５を周壁３ａの外方から内方へ向けて押し込んで弾性変形させ、その姿勢をそのまま維持しつつカバー３を回転させる。そうすると図４に示すように、弾性アーム５の爪部５ｂが中栓２のフランジ部２ｄの下縁部に連係しカバー３の回転に合わせて該中栓２が上方へ引き上げられることになる。
【００２０】
本発明にしたがう中栓付きのキャップは、直接手指に触れることなしに簡単に中栓２を取り外すことができるものであり、弾性アーム５はカバー３の周壁３ａに一体連結した一体物として構成されるため構造の複雑化を伴うこともない。
【００２１】
シール部材４は、実施の形態では、カバー３と別部材として表示したが、該シール部材４はカバー３と一体的に設けられるものであってもよく、この点は限定されない。
【００２２】
シール部材４をアンダーカットによる係合だけで強固に固定できない場合には、接着剤を介して接着するかあるいは溶着によって固定することもできる。
【００２３】
また、弾性アーム５については、片持ち支持タイプの舌片５ａにて図示したが、該弾性アーム５はその弾性変形が可能であるならば両端支持タイプであってもよく、弾性アーム５の支持形式は適宜変更が可能である。
【００２４】
爪部５ｂはフランジ部２ｄの全周に連係する環状のものにて構成できるが、突起状のものを間隔をおいて複数配列したものであってもよい。
【産業上の利用可能性】
【００２５】
容器の口頚部において確実に固定することができ、他の容器への付け替えに際しては簡便に取り外し可能な中栓付きのキャップが提供できる。
【符号の説明】
【００２６】
１      容器
１ａ    口頚部
２      中栓
２ａ    天板
２ｂ    垂下筒
２ｃ    垂下筒
２ｄ    フランジ部
３      カバー
３ａ    周壁
３ｂ    天壁
４      シール部材
４ａ    基部
４ｂ    突起
４ｃ    凸部
５      弾性アーム
５ａ    舌片
５ｂ    爪部
５ｃ    突起
ｈ      注出孔
【図１】
0005567431.tif 000002
【図２】
0005567431.tif 000003
【図３】
0005567431.tif 000004
【図４】
0005567431.tif 000005